(57)【要約】【課題】装着性に優れると共に、排尿を知らせるインジケータの視認性が高い使い捨ておむつを提供すること。【解決手段】使い捨ておむつは、表面シート２、裏面シート３、吸収体４を備え、腹側領域Ａ、背側領域Ｂ及び股下領域Ｃを有すると共に、腹側領域Ａから背側領域Ｂに延びる縦方向Ｘとこれに直交する横方向Ｙとを有する。使い捨ておむつには、裏面シート３と吸収体４との間に、色の変化により排尿を知らせるインジケータ５が配されている。吸収体４は、吸水性ポリマーを含む吸収性コア４０を有している。吸収性コア４０は、中央領域に配された高坪量部４１と、周縁領域に配された低坪量部４２と、縦方向Ｘに延びる中央非積繊部４３と、低坪量部４２における高坪量部４１との境界に位置して縦方向Ｘに延びる側方非積繊部４４とを有している。インジケータ５は、中央非積繊部４３を対称の軸として一対配され、各インジケータ５は縦方向Ｘに延在している。【選択図】図１
2018102419.tif 000002
【特許請求の範囲】
【請求項１】
着用者の肌側に配される表面シート、着用者の非肌側に配される裏面シート、及びこれらシート間に配された縦長の吸収体を備え、着用者の腹側に配される腹側領域及び背側に配される背側領域とそれらの間に位置する股下領域とを有すると共に、該腹側領域から該股下領域を介して該背側領域に延びる縦方向とこれに直交する横方向とを有する使い捨ておむつであって、
前記裏面シートと前記吸収体との間に、色の変化により排尿を知らせるインジケータが配されており、
前記吸収体は、吸水性ポリマーを含む吸収性コアを有し、
前記吸収性コアは、該吸収性コアの中央領域に配され坪量の高い高坪量部と、該高坪量部の周縁領域に配され該高坪量部よりも坪量の低い低坪量部と、該高坪量部の横方向の中央部に位置して縦方向に延びる中央非積繊部と、該低坪量部における該高坪量部との境界に位置して縦方向に延びる一対の側方非積繊部とを有しており、
前記インジケータは、前記中央非積繊部を対称の軸として一対配され、各該インジケータは縦方向に延在している、使い捨ておむつ。
【請求項２】
各前記インジケータは、各前記股下領域の前記高坪量部から前記腹側領域の前記低坪量部又は前記背側領域の前記低坪量部に亘って配されている、請求項１に記載の使い捨ておむつ。
【請求項３】
前記インジケータは、前記側方非積繊部と重ならない位置に配されている、請求項１又は２に記載の使い捨ておむつ。
【請求項４】
前記インジケータは、前記中央非積繊部又は各前記側方非積繊部の縦方向の端部を越えて該縦方向外方に延在している、請求項１〜３の何れか１項に記載の使い捨ておむつ。
【請求項５】
前記吸収体を固定する第１接着剤を有し、
前記第１接着剤は、各前記インジケータの横方向の外方側に配され各該インジケータに沿って縦方向に延在している、請求項１〜４の何れか１項に記載の使い捨ておむつ。
【請求項６】
前記吸収体は、前記吸収性コアと、該吸収性コアを包むコアラップシートとを有しており、
前記コアラップシートは、前記吸収性コアの前記裏面シート側に該コアラップシートの側縁部同士が重なる重なり部を形成して該吸収性コアを包んでおり、
前記インジケータは、前記コアラップシートの前記重なり部と前記裏面シートとの間に配されている、請求項１〜５の何れか１項に記載の使い捨ておむつ。
【請求項７】
前記コアラップシートの前記重なり部では、重なっている前記コアラップシートの側縁部同士が第２接着剤により固定されている、請求項６に記載の使い捨ておむつ。
【発明の詳細な説明】
【技術分野】
【０００１】
本発明は、使い捨ておむつに関する。
【背景技術】
【０００２】
従来、着用者が排泄したか否かを色により判断するインジケータを備えた使い捨ておむつが知られている。出願人は、先に、吸収性コアの横方向の中央領域に配した高坪量部を着用時に凸状に変形させてフィット性及び漏れ防止性を向上させた使い捨ておむつに、インジケータを該高坪量部の横方向の中央部に配した使い捨ておむつを提案した（特許文献１参照）。
【先行技術文献】
【特許文献】
【０００３】
【特許文献１】特開２０１２−２２３２２３０号公報
【発明の概要】
【発明が解決しようとする課題】
【０００４】
しかし、特許文献１に記載の使い捨ておむつでは、吸収性コアの高坪量部が肌対向面側に凸状に変形することで該高坪量部が位置する非肌対向面側が凹状に変形すると、インジケータが凹状に変形した部分に入り込んでしまう可能性がある。このように、万一、インジケータが凹状に変形した吸収性コアの部分に入り込んでしまうことまで想定すると、特許文献１には更なる改良の余地があった。
【０００５】
したがって本発明の課題は、前述した従来技術が有する欠点を解消し得る使い捨ておむつを提供することにある。
【課題を解決するための手段】
【０００６】
本発明は、着用者の肌側に配される表面シート、着用者の非肌側に配される裏面シート、及びこれらシート間に配された縦長の吸収体を備え、着用者の腹側に配される腹側領域及び背側に配される背側領域とそれらの間に位置する股下領域とを有すると共に、該腹側領域から該股下領域を介して該背側領域に延びる縦方向とこれに直交する横方向とを有する使い捨ておむつであって、前記裏面シートと前記吸収体との間に、色の変化により排尿を知らせるインジケータが配されており、前記吸収体は、吸水性ポリマーを含む吸収性コアを有し、前記吸収性コアは、該吸収性コアの中央領域に配され坪量の高い高坪量部と、該高坪量部の周縁領域に配され該高坪量部よりも坪量の低い低坪量部と、該高坪量部の横方向の中央部に位置して縦方向に延びる中央非積繊部と、該低坪量部における該高坪量部との境界に位置して縦方向に延びる一対の側方非積繊部とを有しており、前記インジケータは、前記中央非積繊部を対称の軸として一対配され、各該インジケータは縦方向に延在している、使い捨ておむつを提供するものである。
【発明の効果】
【０００７】
本発明の使い捨ておむつによれば、装着性に優れ、排尿を知らせるインジケータの視認性が高い。
【図面の簡単な説明】
【０００８】
【図１】図１は、本発明の好ましい第１実施形態のパンツ型使い捨ておむつの斜視図である。
【図２】図２は、図１に示すパンツ型使い捨ておむつの展開且つ伸長状態を肌対向面側から視た一部破断平面図である。パンツ型使い捨ておむつについての展開且つ伸長状態とは、サイドシール部を引き剥がして、パンツ型使い捨ておむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。
【図３】図３は、図２に示すＩＩＩ−ＩＩＩ線断面図である。
【図４】図４は、図１に示すパンツ型使い捨ておむつのインジケータが配された吸収体を非肌対向面側から視た一部破断平面図である。
【図５】図５は、図４に示す吸収体に配されたインジケータの他の実施形態を示す一部破断平面図である。
【図６】図６は、本発明の好ましい第２実施形態のパンツ型使い捨ておむつの斜視図である。
【図７】図７は、図６に示すパンツ型使い捨ておむつの展開且つ伸長状態を肌対向面側から視た一部破断平面図である。
【図８】図８は、図７に示すＶＩＩＩ−ＶＩＩＩ線断面図である
【図９】図９は、図６に示すパンツ型使い捨ておむつのインジケータが配された吸収体を非肌対向面側から視た一部破断平面図である。
【図１０】図１０は、図９に示す吸収体に配されたインジケータの他の実施形態を示す一部破断平面図である。
【発明を実施するための形態】
【０００９】
以下、本発明の使い捨ておむつを、その好ましい第１実施形態に基づき、図１〜図４を参照しながら説明する。
【００１０】
本発明の第１実施形態の使い捨ておむつ１Ａ（以下、「おむつ１Ａ」ともいう）は、図１〜図３に示すように、着用者の肌側に配される表面シート２、着用者の非肌側に配される裏面シート３、及びこれらシート２，３間に配された縦長の吸収体４を備え、着用者の腹側に配される腹側領域Ａ及び背側に配される背側領域Ｂとそれらの間に位置する股下領域Ｃとを有すると共に、該腹側領域Ａから該股下領域Ｃを介して該背側領域Ｂに延びる縦方向Ｘとこれに直交する横方向Ｙとを有している。
【００１１】
おむつ１Ａは、図１〜図３に示すように、中心線ＣＬに対して左右対称に形成されている。尚、各図中に示す「Ｘ」方向は、該おむつ１Ａの縦方向であり、中心線ＣＬに平行な方向である。各図中に示す「Ｙ」方向は、おむつ１Ａの横方向であり、中心線ＣＬに垂直な方向である。以下具体的に、おむつ１Ａについて説明する。
【００１２】
おむつ１Ａは、いわゆるパンツ型の使い捨ておむつであり、図１〜図３に示すように、表面シート２、裏面シート３、及びこれら両シート２，３間に配された吸収体４を具備する吸収性本体６と、吸収性本体６の非肌対向面側に位置して吸収性本体６を固定している外装体７とを備えている。
【００１３】
おむつ１Ａは、図２に示すように、その縦方向Ｘに、腹側領域Ａ、股下領域Ｃ及び背側領域Ｂに区分されている。尚、図１に示すように、腹側領域Ａはおむつ１Ａの着用時に着用者の腹側に配される領域であり、背側領域Ｂはおむつ１Ａの着用時に着用者の背側に配される領域である。股下領域Ｃは、おむつ１Ａの着用時に着用者の股間に配される領域である。
【００１４】
またおむつ１Ａには、図１に示すように、外装体７の腹側領域Ａ側の両側縁部と背側領域Ｂ側の両側縁部とが合掌状に接合されることによって、一対のサイドシール部Ｓ，Ｓ、ウエスト開口部ＷＯ、一対のレッグ開口部ＬＯ，ＬＯが形成されている。
【００１５】
尚、本明細書において、上面と肌対向面とは同じ面を意味し、下面と非肌対向面とは同じ面を意味する。また、肌対向面は、おむつ１Ａを構成する各部材の表裏両面のうち着用時に着用者の肌側に配される面であり、非肌対向面とは、おむつ１Ａを構成する各部材の表裏両面のうち着用時に着用者の肌側とは反対側に向けられる面である。
【００１６】
吸収性本体６が具備する吸収体４は、おむつ１Ａでは、図２及び図３に示すように、吸水性ポリマーを含む吸収性コア４０と、吸収性コア４０を包むコアラップシート４５とを有している。吸収体４の有する吸収性コア４０は、該吸収性コア４０の中央領域に配され坪量の高い高坪量部４１と、該高坪量部４１の周縁領域に配され該高坪量部４１よりも坪量の低い低坪量部４２と、該高坪量部４１の横方向Ｙの中央部に位置して縦方向Ｘに延びる中央非積繊部４３と、該低坪量部４２における該高坪量部４１との境界に位置して縦方向Ｘに延びる側方非積繊部４４とを有している。おむつ１Ａでは、該低坪量部４２における該高坪量部４１との境界に、一対の側方非積繊部４４，４４が配されている。各側方非積繊部４４は、低坪量部４２において、高坪量部４１の縦方向Ｘに沿う側縁に沿って配されている。
【００１７】
吸収体４の有する吸収性コア４０は、おむつ１Ａでは、図２に示すように、縦方向Ｘに長い略矩形状に形成されており、腹側領域Ａから股下領域Ｃを縦断して背側領域Ｂに亘って配されている。また吸収性コア４０には、股下領域Ｃの中央部（吸収性コア４０の中央領域）にて縦方向Ｘに延びる略矩形状の高坪量部４１が配されている。吸収性コア４０の高坪量部４１の周縁領域は、低坪量部４２となっている。即ち高坪量部４１は、股下領域Ｃの中央部（吸収性コア４０の中央領域）に配され、低坪量部４２に囲まれている。好適に、高坪量部４１は股下領域Ｃの中央部に配されており、低坪量部４２は腹側領域Ａから股下領域Ｃを介して背側領域Ｂに亘って配されている。おむつ１Ａでは、高坪量部４１は低坪量部４２よりも坪量が高く、低坪量部４２は高坪量部４１よりも坪量が低くなっている。また高坪量部４１は、図２に示すように、厚み（縦方向Ｘ及び横方向Ｙと直交する方向）が低坪量部４２の厚みよりも厚くなっており、低坪量部４２よりも肌対向面側に突出して形成されている。尚、おむつ１Ａでは、吸収性コア４０は、高坪量部を単層で形成しているが、高坪量部を上部吸収層及び下部吸収層の２層で形成し、低坪量部を単層（例えば、下部吸収層）で形成してもよい。
【００１８】
吸収性コアの有する中央非積繊部４３は、おむつ１Ａでは、図１〜図３に示すように、吸収性コア４０の高坪量部４１の横方向Ｙの中央部に位置して縦方向Ｘに延びて形成されている。また中央非積繊部４３は、おむつ１Ａでは、該おむつ１Ａの中心線ＣＬ上に位置して縦方向Ｘに延びて形成されている。好適に、中央非積繊部４３は、腹側領域Ａ側の低坪量部４２から高坪量部４１を縦断して背側領域Ｂ側の低坪量部４２に亘って中心線ＣＬ上に形成されている。更に、中央非積繊部４３は、縦方向Ｘにおける腹側領域Ａ側の一端部４３ａが高坪量部４１から腹側領域Ａ側の低坪量部４２に位置し、縦方向Ｘにおける背側領域Ｂ側の他端部４３ｂが高坪量部４１から背側領域Ｂ側の低坪量部４２に位置している。おむつ１Ａでは、中央非積繊部４３は、高坪量部４１から腹側領域Ａ側の低坪量部４２への縦方向Ｘの延出長さと、高坪量部４１から背側領域Ｂ側の低坪量部４２への縦方向Ｘの延出長さとが同じ長さになっている。
【００１９】
尚、おむつ１Ａでは、中央非積繊部４３は、腹側領域Ａ側の低坪量部４２への縦方向Ｘの延出長さと、背側領域Ｂ側の低坪量部４２への縦方向Ｘの延出長さとは異なる長さであってもよい。例えば、腹側領域Ａ側の低坪量部４２への縦方向Ｘの延出長さ及び背側領域Ｂ側の低坪量部４２への縦方向Ｘへの延出長さの何れか一方を長く形成してもよい。
【００２０】
中央非積繊部４３は、図２及び図３に示すように、低坪量部４２よりも低坪量に形成されており、おむつ１Ａでは、高坪量部４１及び低坪量部４２を貫通する貫通口となっている。
【００２１】
吸収性コア４０の有する一対の側方非積繊部４４，４４は、図２及び図３に示すように、おむつ１Ａでは、低坪量部４２において、高坪量部４１の縦方向Ｘに沿う両側縁に位置する境界に沿って縦方向Ｘに延びて形成されている。一対の側方非積繊部４４，４４は、高坪量部４１に配された中央非積繊部４３を対称の軸として低坪量部４２にて縦方向Ｘに延在している。各側方非積繊部４４は、中央非積繊部４３と略平行に縦方向Ｘに延びて形成されており、高坪量部４１の縦方向Ｘの長さよりも縦方向Ｘの長さが長く、中央非積繊部４３の縦方向Ｘの長さよりも縦方向Ｘの長さが短く形成されている。好適に、各側方非積繊部４４は、縦方向Ｘにおける腹側領域Ａ側の一端部４４ａが中央非積繊部４３の縦方向Ｘにおける腹側領域Ａ側の一端部４３ａよりも縦方向Ｘの内方側に位置し、縦方向Ｘにおける背側領域Ｂ側の他端部４４ｂが中央非積繊部４３の縦方向Ｘにおける背側領域Ｂ側の他端部４３ｂよりも縦方向Ｘの内方側に位置している。
【００２２】
各側方非積繊部４４は、図２及び図３に示すように、低坪量部４２よりも低坪量に形成されており、おむつ１Ａでは、低坪量部４２を貫通する貫通口となっている。
【００２３】
尚、おむつ１Ａでは、図２及び図３に示すように、吸収性コア４０の中央非積繊部４３及び各側方非積繊部４４は、吸収性コア４０を形成する材料（コア形成材料）が全く存在しない貫通口であるが、低坪量部４２よりも少ない量のコア形成材料が２０ｇ／ｍ2程度に若干存在している場合も、後述の折り曲げ起点となり得ることから非積繊部に含める。但し、中央非積繊部４３及び各側方非積繊部４４に存するコア形成材料の坪量は、５０ｇ／ｍ2以下であることが好ましい。
【００２４】
吸収性コア４０の高坪量部４１の横方向Ｙの中央部に中央非積繊部４３を形成し、高坪量部４１と低坪量部４２との縦方向Ｘに沿う両側縁に位置する境界に一対の側方非積繊部４４，４４を形成することで、例えば、おむつ１Ａの着用時に着用者の両脚で吸収性コア４０が横方向Ｙに押圧されると、中央非積繊部４３を折り曲げ起点として高坪量部が凸変形し易いと共に、低坪量部４２の縦方向Ｘに沿う両側縁が一対の側方非積繊部４４，４４を折り曲げ起点として肌対向面側に立ちあがり易くなる。その為、吸収性コア４０の縦方向Ｘに沿う中央部及び両側縁が着用者の肌側に密着し、吸収性コア４０によるフィット性及び漏れ防止性が向上する。即ち、吸収性コア４０を所謂Ｗ字状に立体変形させることで吸収性コア４０によるフィット性及び漏れ防止性を向上させることができる。
【００２５】
吸水性ポリマーを含む吸収性コア４０の上下面（肌対向面、非肌対向面）を包むコアラップシート４５は、おむつ１Ａでは、図３に示すように、吸収性コア４０の裏面シート３側に該コアラップシート４５の側縁部４５ａ，４５ｂ同士が重なる重なり部４５ｃを形成して該吸収性コア４０を包んでいる。好適に、コアラップシート４５は、おむつ１Ａでは、吸収性コア４０の肌対向面を被覆した状態で該吸収性コア４０の縦方向Ｘに沿う両側部を包むように、縦方向Ｘに沿う両側部を非肌対向面側に折り曲げられることで吸収性コア４０を包んでいる。このとき吸収性コア４０の非肌対向面側に折り曲げられたコアラップシート４５の縦方向Ｘに沿う両側部の両側縁部４５ａ，４５ｂ同士が吸収性コア４０の非肌対向面側で重ね合され接合される。このように、吸収性コア４０の非肌対向面（下面）には、コアラップシート４５が二重になっている重なり部４５ｃが形成されている。コアラップシート４５の重なり部４５ｃは、後述する一対のインジケータ５，５を横方向Ｙに並置可能な横幅を有しており、該横幅で吸収体４の縦方向Ｘの全域に亘って延在している。
【００２６】
更に、コアラップシート４５の重なり部４５ｃは、図３に示すように、おむつ１Ａでは、重なっているコアラップシート４５の側縁部４５ａ，４５ｂ同士が第２接着剤である重なり部固定用ホットメルト４６により固定されている。好適に、コアラップシート４５の重なり部４５ｃは、吸収性コア４０の非肌対向面に接触して配される一方の側縁部４５ｂと、該一方の側縁部４５ｂの非肌対向面側に配される他方の側縁部４５ａとの間に重なり部固定用ホットメルト４６が配された多層構造になっている。おむつ１Ａでは、重なり部４５ｃの縦方向Ｘ及び横方向Ｙの全域（重なり部４５ｃの全面）に重なり部固定用ホットメルト４６が塗布されており、重なり部４５ｃの全面において多層構造になっている。
【００２７】
おむつ１Ａでは、図３に示すように、裏面シート３と吸収体４との間に、色の変化により排尿を知らせるインジケータ５が配されている。インジケータ５は、吸収体４のコアラップシート４５の重なり部４５ｃと裏面シート３との間に配されている。好適に、インジケータ５はコアラップシート４５の重なり部４５ｃの非肌対向面側に配されており、インジケータ固定用ホットメルト（図示せず）で固定されている。コアラップシート４５の重なり部４５ｃに固定されたインジケータ５の色の変化は、裏面シート３及び外装体７を介して外部から視認可能になっている。コアラップシート４５が二重（２層構造）になった重なり部４５ｃの非肌対向面側にインジケータ５を配することで、吸収性コア４０を構成する吸水性ポリマー等の影響によりインジケータ５が変色してしまうことを抑制することができる。特に、コアラップシート４５の重なり部４５ｃでは、側縁部４５ａ，４５ｂ同士の間に重なり部固定用ホットメルト４６が介在することにより多層構造になっているので、より一層インジケータ５の変色を抑制することができる。
【００２８】
またインジケータ５は、図２及び図４に示すように、おむつ１Ａでは、中央非積繊部４３を対称の軸として一対配されており、各インジケータ５は縦方向Ｘに延在している。好適に、一対のインジケータ５，５は、中央非積繊部４３を対称の軸として、吸収性コア４０の重なり部４５ｃの非肌対向面側に縦方向Ｘに沿って直線状に配されている。各インジケータ５は、横方向Ｙにおいて、中央非積繊部４３と各側方非積繊部４４との間に対応する吸収性コア４０の重なり部４５ｃの非肌対向面側で、中央非積繊部４３と略平行に縦方向Ｘに沿って直線状に配されている。
【００２９】
また各インジケータ５は、図２及び図４に示すように、おむつ１Ａでは、各側方非積繊部４４と重ならない位置に配されている。各インジケータ５を各側方非積繊部４４と重ならない位置、具体的には、中央非積繊部４３と各側方非積繊部４４との間の位置に配することで、例えば、おむつ１Ａの着用時に股下領域Ｃの吸収性コア４０が変形して各側方非積繊部４４に皺等が発生した場合においても、発生した皺等の影響で各インジケータ５が見え難くなることが抑制される。特におむつ１Ａでは、一対のインジケータ５，５は中央非積繊部４３を対称の軸として配され、各インジケータ５は、中央非積繊部４３と各側方非積繊部４４との間に配されている。中央非積繊部４３と各側方非積繊部４４との間は吸収性コア４０の高坪量部４１であり、高坪量部４１では非肌対向面側に皺等が発生し難いため、各インジケータ５を高坪量部４１におけるコアラップシート４５の重なり部４５ｃの非肌対向面側に配することで、皺等の影響による各インジケータ５の視認性の低下を抑制することができる。また、中央非積繊部４３や側方非積繊部４４のようにコア形成材料が配されない場所ではなく、高坪量部４１のようにコア形成材料の配されている部分に各インジケータ５を配することで、各インジケータ５の見栄えが良くなる。
【００３０】
更に各インジケータ５は、おむつ１Ａでは、図２及び図４に示すように、高坪量部４１において、該高坪量部４１の縦方向Ｘに沿う側縁部に配されることが好ましい。言い換えると、各インジケータ５は、高坪量部４１において中央非積繊部４３から横方向Ｙに離間させて配することが好ましい。中央非積繊部４３から横方向Ｙに離間させて高坪量部４１の縦方向Ｘに沿う側縁部に各インジケータ５を配することで、例えば、高坪量部４１が中央非積繊部４３を頂部にして肌対向面側に凸変形することで該高坪量部４１の非肌対向面側が凹状に変形した場合おいても、各インジケータ５が該凹部に入り込んでしまうことを抑制することができる。
【００３１】
また、各インジケータ５は、図２及び図４に示すように、おむつ１Ａでは、股下領域Ｃの高坪量部４１から腹側領域Ａの低坪量部４２又は背側領域Ｂの低坪量部４２に亘って配されている。好適に、各インジケータ５は、おむつ１Ａでは、股下領域Ｃの高坪量部４１から腹側領域Ａの低坪量部４２に亘って配されると共に、股下領域Ｃの高坪量部４１から背側領域Ｂの低坪量部４２に亘って配されている。即ち、各インジケータ５は、おむつ１Ａでは、腹側領域Ａの低坪量部４２から股下領域Ｃの高坪量部４１を縦断して背側領域Ｂの低坪量部４２に亘って縦方向Ｘに延在している。低坪量部４２では、高坪量部４１に比して液体が広がり易いため、低坪量部４２に各インジケータ５を配することで、低坪量部４２で広がった少量の体液の排出を検出することができるようになる。
【００３２】
また、各インジケータ５は、中央非積繊部４３又は側方非積繊部４４の縦方向Ｘの端部４３ａ，４３ｂ，４４ａ，４４ｂを越えて該縦方向Ｘの外方に延在していればよく、おむつ１Ａでは、各インジケータ５は、中央非積繊部４３の縦方向Ｘの端部４３ａ，４３ｂ及び側方非積繊部４４の縦方向Ｘの端部４４ａ，４４ｂを越えて該縦方向Ｘの外方に延在している。好適に、各インジケータ５は、図２及び図４に示すように、おむつ１Ａでは、腹側領域Ａ側の低坪量部４２において、中央非積繊部４３の縦方向Ｘにおける腹側領域Ａ側の一端部４３ａを縦方向Ｘの腹側領域Ａ側に越える長さに形成されている。同様に、各インジケータ５は、背側領域Ｂ側の低坪量部４２において、中央非積繊部４３の縦方向Ｘにおける背側領域Ｂ側の他端部４３ｂを縦方向Ｘの背側領域Ｂ側に越える長さに形成されている。腹側領域Ａ及び背側領域Ｂの低坪量部４２で中央非積繊部４３の縦方向Ｘの両端部を越える長さに各インジケータ５の縦方向Ｘの両端部を配することで、各インジケータ５の色の変化の確認を行い易くなる。また、各インジケータ５は、図２及び図４に示すように、おむつ１Ａでは、腹側領域Ａ側の低坪量部４２において、各側方非積繊部４４の縦方向Ｘにおける腹側領域Ａ側の一端部４４ａを縦方向Ｘの腹側領域Ａ側に越える長さに形成されている。同様に、各インジケータ５は、背側領域Ｂ側の低坪量部４２において、各側方非積繊部４４の縦方向Ｘにおける背側領域Ｂ側の他端部４４ｂを縦方向Ｘの背側領域Ｂ側に越える長さに形成されている。腹側領域Ａ及び背側領域Ｂの低坪量部４２で各側方非積繊部４４の縦方向Ｘの両端部を越える長さに各インジケータ５の縦方向Ｘの両端部を配することで、各インジケータ５の色の変化の確認をより一層行い易くなる。
【００３３】
またおむつ１Ａは、図３及び図４に示すように、吸収体４を固定する第１接着剤である吸収体固定用ホットメルト４７を有し、吸収体固定用ホットメルト４７は、各インジケータ５の横方向Ｙの外方側に配され各該インジケータ５に沿って縦方向Ｘに延在している。おむつ１Ａでは、図４に示すように、吸収体固定用ホットメルト４７は、吸収性コア４０の非肌対向面側で縦方向Ｘの両端部間に亘って配されており、図３に示すように、吸収体４と裏面シート３とを接合している。おむつ１Ａでは、吸収体固定用ホットメルト４７は、中心線ＣＬを対称の軸として一対配されており、各吸収体固定用ホットメルト４７は、各インジケータ５よりも中心線ＣＬから離れる横方向Ｙの外方に配されている。各吸収体固定用ホットメルト４７は、各インジケータ５と略平行に、吸収体４の縦方向Ｘの両端部間に亘って配されている。言い換えると、各吸収体固定用ホットメルト４７は、各インジケータ５と略平行に、各インジケータ５と間隔を空けて隣接するように吸収体４の縦方向Ｘに沿って延在している。各吸収体固定用ホットメルト４７を各インジケータ５の中心線ＣＬから離れる横方向Ｙの外方で各該インジケータ５に沿って縦方向Ｘに延在させることで、吸収体４と裏面シート３とを固定した際に、吸収性コア４０に固定した各インジケータ５の位置ズレや皺の発生が抑制され、各インジケータ５の見栄えの低下を抑制可能になる。
【００３４】
おむつ１Ａでは、図２及び図３に示すように、吸収体４の縦方向Ｘに沿った両側縁部と略平行に吸収性コア４０の側部部分を立ち上げるための弾性部材１２２が配されている。おむつ１Ａの弾性部材１２２は、吸収性コア４０を被覆するコアラップシート４５の内面又は外面に沿って縦方向Ｘに伸長状態で配されており、腹側領域Ａ及び背側領域Ｂに縦方向Ｘの両端部が固定されている。
【００３５】
おむつ１Ａでは、図２及び図３に示すように、吸収性本体６の両側に、防漏カフ１２，１２が形成されている。おむつ１Ａの防漏カフ１２は、吸収性本体６に接合された防漏カフ形成用シート１２０、防漏カフ形成用シート１２０の自由端近傍に伸長状態で固定された防漏カフ形成用の弾性部材１２１、及び防漏カフ１２の固定端と自由端との間に伸長状態で固定された防漏カフ中間弾性部材１２２を備えている。おむつ１Ａでは、防漏カフ形成用シート１２０として、所定幅の帯状の撥水性シートの１枚を、その縦方向Ｘに沿って二つ折りして、相対向する層間をホットメルト型接着剤又は部分的な熱シール若しくは超音波シール等で接合した２層構造のシートを用いており、前述した弾性部材１２１，１２２は、この２層構造シートの層間に伸長状態で固定されている。
【００３６】
おむつ１Ａでは、図３に示すように、表面シート２は、吸収体４の肌対向面側を被覆するとともに、縦方向Ｘに沿う両側端部２１，２１が、吸収体４の非肌対向面側において、裏面シート３及び防漏カフ形成用シート１２０と共に外装体７にホットメルト接着剤等の公知の接合手段により接合固定されている。
【００３７】
おむつ１Ａでは、図３に示すように、外装体７は、２枚の外装体形成用シート７１，７２と、これら２枚のシート７１，７２間に伸長状態で固定された各部の弾性部材７４とからなる。即ち、２枚の外装体形成用シート７１，７２間には、ウエスト開口部ＷＯの周縁部にウエストギャザーを形成するウエスト部弾性部材７３，レッグ開口部ＬＯの周縁部にレッグギャザーを形成するレッグ部弾性部材７４，及び胴回り部Ｄ（ウエスト開口部ＷＯの周縁端から下方に２０ｍｍ離間した位置からレッグ開口部ＬＯの上端までの領域）に左右に分割された状態の胴回りギャザーを形成する胴回り弾性部材７５が、それぞれ伸長状態で、ホットメルト型接着剤等の任意の接合手段により接合固定されている。
【００３８】
おむつ１Ａでは、図２に示すように、外装体形成用シート７１，７２は、その縦方向Ｘに関し、これら２枚のシートのうちの一方又は双方が、ウエスト開口部ＷＯの周縁部において折り返され、その折り返された部分が、吸収性本体６の前後端における吸収性本体６の肌対向面側に固定されている。
【００３９】
次に、おむつ１Ａの各部の形成材料について説明する。
おむつ１Ａでは、インジケータ５としては、ホットメルト組成物を用いることができ、ホットメルト組成物としては、通常、使い捨ておむつ等の吸収性物品に用いられるものであれば、特に制限なく用いることができるが、ｐＨの値が４を超えないように維持することが可能な酸性化合物であることが好ましい。酸性化合物であるホットメルト組成物としては、例えば、特開平１１−００４８５２号公報に記載の親水性組成物を用いることができる。
【００４０】
おむつ１Ａでは、インジケータ５を固定するインジケータ固定用ホットメルト（図示せず）としては、ベースポリマー、常温で固体の粘着付与成分、軟化剤成分及び酸化防止剤を構成成分して具備してなるホットメルト型接着剤等が挙げられる。ベースポリマーとしては、スチレンブタジエンゴム（ＳＢＲ）、スチレン・ブタジエン・スチレンブロック共重合体（ＳＢＳ）、スチレン・イソプレン・スチレンブロック共重合体（ＳＩＳ）、スチレン・エチレン・ブチレン・スチレンブロック共重合体（ＳＥＢＳ）、スチレン・エチレン・プロピレン・スチレンブロック共重合体（ＳＥＰＳ）等が挙げられる。
【００４１】
おむつ１Ａでは、吸収性本体６を構成する表面シート２及び裏面シート３としては、通常、使い捨ておむつ等の吸収性物品に用いられるものであれば、特に制限なく用いることができる。例えば、表面シート２としては、親水性且つ液透過性の不織布等を用いることができ、裏面シート３としては、液不透過性又は撥水性の樹脂フィルムや樹脂フィルムと不織布の積層体等を用いることができる。
【００４２】
おむつ１Ａでは、外装体７を構成する外装体形成用シート７１，７２としては、通常、使い捨ておむつ等の吸収性物品に用いられるものであれば、特に制限なく用いることができる。例えば、外装体形成用シート７１，７２としては、撥水性の不織布を用いることができる。
【００４３】
おむつ１Ａでは、吸収性本体６の吸収体４の吸収性コア４０を構成する繊維集合体の繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。繊維集合体は、空気流に載せて供給した繊維材料を、所定形状の凹部内に吸引して堆積させる積繊工程を経て得られるものが好ましい。繊維材料とともに機能性材料を混合積繊したものであっても良い。機能性材料の保持形態は、２枚の繊維集合体間に挟んで保持する形態や、混合積繊して繊維間に保持させた状態等が挙げられる。繊維及び吸水性ポリマー等の機能性材料は、それぞれ、一種又は二種以上を組み合わせて用いることができる。吸収性コア４０を構成する吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。吸収性本体６の吸収体４を構成するコアラップシート４５としては、ティッシュペーパー等の薄紙や透水性の不織布等が挙げられる。
【００４４】
おむつ１Ａでは、防漏カフ形成用シート１２０としては、スパンボンド・メルトブローン・スパンボンド等からなる多層構造の複合不織布、スパンボンド不織布、ヒートボンド不織布、エアスルー不織布等を用いることができる。
【００４５】
おむつ１Ａでは、各部に配される弾性部材７３，７４，７５，１２１，１２２の形態は、糸状のもの（糸ゴム等）、所定幅の帯状のもの（平ゴム等）等が好ましく、特に糸状のものが好ましい。各部に配される弾性部材７３，７４，７５，１２１，１２２の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
【００４６】
以上説明したように、本発明の好ましい第１実施形態の使い捨ておむつ１Ａは、図１及び図２に示すように、色の変化により排尿を知らせるインジケータ５が、吸収性コア４０の高坪量部４１に配される中央非積繊部４３を対称の軸として一対配され、各インジケータ５は縦方向Ｘに延在している。その為、吸収性コア４０の高坪量部４１が肌対向面側に凸状に変形することで該高坪量部４１が位置する非肌対向面側が凹状に変形した場合においても、各インジケータ５が凹状に変形した部分に入り込んでしまうことが低減される。これにより、各インジケータ５の視認性が低下することが抑制され、視認性を維持可能になる。またおむつ１Ａには、高坪量部４１に中央非積繊部４３が形成され、高坪量部４１との境界の低坪量部４２に側方非積繊部４４が形成されているため、高坪量部４１が凸状に変形し易く装着性に優れる。このように、おむつ１Ａは、装着性に優れ、インジケータ５の視認性が高い。
【００４７】
前述した一又は二以上の効果がより好適に得られるようにする観点から、おむつ１Ａは、以下の構成の一又は二以上を有することが更に好ましい。
【００４８】
おむつ１Ａでは、図２に示すように、吸収性コア４０の縦方向Ｘの長さ（Ｌ）に対する各インジケータ５の縦方向Ｘの長さ（Ｌ１）の割合（Ｌ１／Ｌ）は、０．３〜０．８であることが好ましく、０．４〜０．６であることが更に好ましい。
【００４９】
具体的に、おむつ１Ａでは、図２に示すように、吸収性コア４０（吸収体４の長さと略同じ）の縦方向Ｘの長さ（Ｌ）は、３００〜４５０ｍｍであることが好ましい。各インジケータ５の縦方向Ｘの長さ（Ｌ１）は、１００〜３５０ｍｍであることが好ましく、１５０〜３００ｍｍであることが更に好ましい。また、中央非積繊部４３の縦方向Ｘの腹側領域Ａ側の一端部４３ａから腹側領域Ａ側の外方に延出する各インジケータ５の縦方向Ｘの延出長さＬ２としては、１〜７０ｍｍであることが好ましく、５〜５０ｍｍであることが更に好ましい。中央非積繊部４３の縦方向Ｘの背側領域Ｂ側の他端部４３ｂから背側領域Ｂ側の外方に延出する各インジケータ５の縦方向Ｘの延出長さＬ３としては、１〜７０ｍｍであることが好ましく、５〜５０ｍｍであることが更に好ましい。
【００５０】
おむつ１Ａでは、図４に示すように、吸収性コア４０の横方向Ｙの長さ（以下、幅（Ｗ）ともいう）に対する各インジケータ５の横方向の長さ（以下、幅（Ｗ１）ともいう）の割合（Ｗ１／Ｗ）は、０．００５〜０．４であることが好ましく、０．０１〜０．２であることが更に好ましい。
【００５１】
おむつ１Ａでは、図４に示すように、中央非積繊部４３の横方向Ｙの長さ（以下、幅（Ｗ２）ともいう）に対するインジケータ５の幅（Ｗ１）の割合（Ｗ１／Ｗ２）は、０．０５〜２であることが好ましく、０．１〜１であることが更に好ましい。
【００５２】
具体的に、おむつ１Ａでは、図４に示すように、吸収性コア４０の幅（Ｗ）は、５０〜１８０ｍｍであることが好ましい。各インジケータ５の幅（Ｗ１）は、０．５〜１０ｍｍであることが好ましく、１〜５ｍｍであることが更に好ましい。中央非積繊部４３の幅（Ｗ２）は、１〜３０ｍｍであることが好ましく、２〜２０ｍｍであることが更に好ましい。
【００５３】
尚、各インジケータ５は、おむつ１Ａでは、図５（ａ）に示すように、各インジケータ５の縦方向Ｘにおける腹側領域Ａ側の一端部５ａは、中央非積繊部４３の縦方向Ｘにおける腹側領域Ａ側の一端部４３ａ及び各側方非積繊部４４の縦方向Ｘにおける腹側領域Ａ側の一端部４４ａを越えて縦方向Ｘにおける腹側領域Ａ側の外方に延在している。言い換えると、各インジケータ５の一端部５ａは、中央非積繊部４３の一端部４３ａ及び各側方非積繊部４４の一端部４４ａを越えて、高坪量部４１の縦方向Ｘにおける腹側領域Ａ側の外方に位置する低坪量部４２に延在していることが好ましい。例えば、おむつの着用時に着用者の両脚で吸収性コア４０の中央領域が所謂Ｗ字状に変形した場合においても、各インジケータ５の一端部５ａが中央非積繊部４３の一端部４３ａ及び側方非積繊部４４の一端部４４ａを越えて縦方向Ｘにおける腹側領域Ａ側の外方に延在しているので、吸収性コア４０の中央領域の変形により各インジケータ５が見え難くなることが抑制される。特に腹側領域Ａ側に延在させることで、着用者の排尿を検出し易くなる。また低坪量部４２では液が広がり易いため、各インジケータ５の一端部５ａを低坪量部４２に配することで、各インジケータ５の色の変化を確認し易い。
【００５４】
また図５（ｂ）に示すように、各インジケータ５の縦方向Ｘにおける背側領域Ｂ側の他端部５ｂを、中央非積繊部４３の縦方向Ｘにおける背側領域Ｂ側の他端部４３ｂ及び各側方非積繊部４４の縦方向Ｘにおける背側領域Ｂ側の他端部４４ｂを越えて縦方向Ｘにおける背側領域Ｂ側の外方に延在していてもよい。各インジケータ５の他端部５ｂを中央非積繊部４３の他端部４３ｂ及び側方非積繊部４４の他端部４４ｂを越えて背側領域Ｂ側に延在させることで、股下部に皺等が入り、インジケータを視認しにくい場合においても容易にインジケータの位置を確認することができる。
【００５５】
また、図５（ｃ）に示すように、一対のインジケータ５，５に加えて、高坪量部４１の中心線ＣＬから離れる横方向Ｙの外方に位置する低坪量部４２に、中央非積繊部４３を対称の軸として別の一対のインジケータ５１，５１を配してもよい。この場合においても、低坪量部４２に配される別の各インジケータ５１は各側方非積繊部４４と重ならない位置に配されることが好ましい。例えば、別の各インジケータ５１を吸収性コア４０の縦方向Ｘに沿う側縁と各側方非積繊部４４との間に対応するコアラップシート４５の非肌対向面側に配することが好ましい。中央非積繊部４３を対称の軸として配される一対のインジケータ５，５及び別の一対のインジケータ５１，５１を配することで、中心線ＣＬから離れた位置にある二対のインジケータ５，５，５１，５１により視認性が向上すると共に、横漏れを抑制することができる。
【００５６】
次に、本発明の好ましい第２実施形態の使い捨ておむつについて、図６〜図１０を参照しながら説明する。
第２実施形態の使い捨ておむつ１Ｂ（以下、「おむつ１Ｂ」ともいう）については、第１実施形態の使い捨ておむつ１Ａと異なる点について説明し、特に説明しない点については、おむつ１Ａと同様であり、同一の符号を付してその説明を省略する。おむつ１Ｂは、裏面シート３と吸収体４との間に配される一対のインジケータの各インジケータの形状がおむつ１Ａと相違する。その為ここでは、おむつ１Ｂの備える各インジケータの形状を中心に説明する。
【００５７】
おむつ１Ｂでは、一対のインジケータ５Ｂ，５Ｂは、図６及び図７に示すように、横方向Ｙに延びる複数の短インジケータ５ｃが縦方向Ｘに間隔を空けて配されるインジケータ列の形状で一対形成されている。各インジケータ５Ｂの各短インジケータ５ｃは、横方向Ｙに長い矩形状に形成されている。尚、各短インジケータ５ｃの形状は、横方向Ｙに長い形状であればよく、例えば、横方向Ｙに長い楕円形状や多角形形状であってもよい。また、複数の短インジケータ５ｃの横方向Ｙの長さは、同じ長さであってもよく、異なる長さであってもよい。例えば、複数の短インジケータ５ｃは、股下領域Ｃから腹側領域Ａ又は背側領域Ｂに向かうに連れて横方向Ｙの長さが長くなるように形成してもよい。また腹側領域Ａ又は背側領域Ｂから股下領域Ｃに向かうに連れて横方向Ｙの長さが長くなるように形成してもよい。
【００５８】
インジケータ５Ｂは、おむつ１Ｂでは、図６及び図７に示すように、中央非積繊部４３を対称の軸として一対配されており、各インジケータ５Ｂは縦方向Ｘに延在している。好適に、一対のインジケータ５Ｂ，５Ｂは、中央非積繊部４３を対称の軸として、吸収性コア４０の重なり部４５ｃの非肌対向面側に縦方向Ｘに沿って延在している。各インジケータ５Ｂは、中央非積繊部４３と各側方非積繊部４４との間に対応する吸収性コア４０の重なり部４５ｃの非肌対向面側で、中央非積繊部４３と略平行に縦方向Ｘに沿って延在している。
【００５９】
各インジケータ５Ｂは、おむつ１Ｂでは、図６及び図７に示すように、股下領域Ｃの高坪量部４１から腹側領域Ａの低坪量部４２に亘って配されると共に、股下領域Ｃの高坪量部４１から背側領域Ｂの低坪量部４２に亘って配されている。即ち、各インジケータ５Ｂは、おむつ１Ｂでは、腹側領域Ａの低坪量部４２から股下領域Ｃの高坪量部４１を縦断して背側領域Ｂの低坪量部４２に亘って縦方向Ｘに延在している。低坪量部４２では、高坪量部４１に比して液体が広がり易いため、低坪量部４２に各インジケータ５Ｂを配することで、低坪量部４２で広がった少量の液体の排出を検出することができるようになる。
【００６０】
また、図６及び図７に示すように、おむつ１Ｂでは、各インジケータ５Ｂは、腹側領域Ａ側の低坪量部４２において、中央非積繊部４３の縦方向Ｘにおける腹側領域Ａ側の一端部４３ａを縦方向Ｘの腹側領域Ａ側に越える長さに形成している。同様に、各インジケータ５Ｂは、背側領域Ｂ側の低坪量部４２において、中央非積繊部４３の縦方向Ｘにおける背側領域Ｂ側の他端部４３ｂを縦方向Ｘの背側領域Ｂ側に越える長さに形成している。腹側領域Ａ及び背側領域Ｂの低坪量部４２で中央非積繊部４３の縦方向Ｘの両端部４３ａ，４３ｂを越える長さに各インジケータ５Ｂの縦方向Ｘの両端部を配することで、各インジケータ５Ｂの色の変化の確認を行い易くなる。尚、各インジケータ５Ｂの縦方向Ｘの両端部とは、最も腹側領域Ａ側の最外方短インジケータ５ｃａの位置と、最も背側領域Ｂ側の最外方短インジケータ５ｃｂの位置とを意味する。
【００６１】
またおむつ１Ｂは、図８に示すように、吸収体４を固定する第１接着剤である吸収体固定用ホットメルト４７を有し、各吸収体固定用ホットメルト４７は、各インジケータ５Ｂの横方向Ｙの外方側に配され各該インジケータ５Ｂに沿って縦方向Ｘに延在している。おむつ１Ｂでは、図９に示すように、吸収体固定用ホットメルト４７は、吸収性コア４０の非肌対向面側で縦方向Ｘの両端部に亘って配されており、図８に示すように、吸収体４と裏面シート３とを接合している。おむつ１Ｂでは、吸収体固定用ホットメルト４７は、中心線ＣＬを対称の軸として一対配されており、各吸収体固定用ホットメルト４７は、各インジケータ５Ｂよりも中心線ＣＬから離れる横方向Ｙの外方に配されている。各吸収体固定用ホットメルト４７は、各インジケータ５Ｂと略平行に、吸収体４の縦方向Ｘの両端部に亘って配されている。言い換えると、各吸収体固定用ホットメルト４７は、各インジケータ５Ｂと略平行に、各インジケータ５Ｂと隣接するように吸収体４の縦方向Ｘに沿って延在している。各吸収体固定用ホットメルト４７を各インジケータ５Ｂの中心線ＣＬから離れる横方向Ｙの外方で各該インジケータ５Ｂに沿って縦方向Ｘに延在させることで、吸収体４と裏面シート３とを固定した際に、吸収性コア４０に固定した各インジケータ５Ｂの位置ズレや皺の発生が抑制され、各インジケータ５Ｂの見栄えの低下を抑制可能になる。
【００６２】
またおむつ１Ｂでは、各インジケータ５Ｂの横方向Ｙに延びる各短インジケータ５ｃの中心線ＣＬに向かう横方向Ｙの内方端は、図７に示すように、中央非積繊部４３と重ならない高坪量部４１の非肌対向面側に配されている。また短インジケータ５ｃの中心線ＣＬから離れる横方向Ｙの外方端は、吸収性コア４０の中央領域においては、各側方非積繊部４４と重なる位置の非肌対向面側に配されており、吸収性コア４０の中央領域以外においては低坪量部４２の非肌対向面側に配されている。
【００６３】
以上説明したように、本発明の好ましい第２実施形態の使い捨ておむつ１Ｂでは、図６及び図７に示すように、一対のインジケータ５Ｂ，５Ｂの各インジケータ５Ｂが横方向Ｙに延びる複数の短インジケータ５ｃを有し、複数の短インジケータ５ｃが縦方向Ｘに間隔を空けて配されている。即ち、おむつ１Ｂの各インジケータ５Ｂは、横方向Ｙに延びる複数の短インジケータ５ｃがインジケータ列の形状で縦方向Ｘに延在している。その為、例えば、着用者が短いズボンをはいている場合においても、該ズボンのレッグ開口部ＬＯ，ＬＯの隙間から各短インジケータ５ｃの横方向Ｙの外方端等の色を確認し易い。
【００６４】
尚、おむつ１Ｂでは、各インジケータ５Ｂの各短インジケータ５ｃは、吸収性コア４０の中央領域において、横方向Ｙの外方端が各側方非積繊部４４と重なる位置まで配されているが、各側方非積繊部４４を横方向Ｙの中心線ＣＬから離れる方向に超えていてもよい。例えば、各短インジケータ５ｃは、外方端が吸収性コア４０の縦方向Ｘに沿う側縁部まで配されていてもよい。各側方非積繊部４４を横方向Ｙの中心線ＣＬから離れる方向に超えて配されることで、各短インジケータ５ｃの視認性が向上する。特に、各短インジケータ５ｃの外方端を吸収性コア４０の縦方向Ｘに沿う側縁部に亘って配することで、より一層視認性が向上する。
【００６５】
前述した一又は二以上の効果がより好適に得られるようにする観点から、おむつ１Ａは、以下の構成の一又は二以上を有することが更に好ましい。
【００６６】
おむつ１Ｂでは、図９に示すように、吸収性コア４０の縦方向Ｘの長さ（Ｌ）に対する各インジケータ５Ｂの縦方向Ｘの延在長さ（短インジケータ５ｃが縦方向Ｘに間隔を空けて配されて形成された各インジケータ５Ｂの全長）（Ｌ４）の割合（Ｌ４／Ｌ）は、２０％〜９０％であることが好ましく、３０％〜８０％であることが更に好ましい。
【００６７】
具体的に、おむつ１Ｂでは、図９に示すように、吸収性コア４０（吸収体４の長さと略同じ）の縦方向Ｘの長さ（Ｌ）は、３００〜４５０ｍｍであることが好ましい。各インジケータ５Ｂの縦方向Ｘの延在長さ（Ｌ４）は、１００〜４００ｍｍであることが好ましく、１２０〜３６０ｍｍであることが更に好ましい。
【００６８】
おむつ１Ｂでは、図９に示すように、吸収性コア４０の横方向Ｙの長さ（以下、幅（Ｗ）ともいう）に対する各短インジケータ５ｃの横方向の長さ（以下、幅（Ｗ３）ともいう）の割合（Ｗ３／Ｗ）は、３％〜４０％であることが好ましく、５％〜３０％であることが更に好ましい。
【００６９】
具体的に、おむつ１Ｂでは、図９に示すように、吸収性コア４０の幅（Ｗ）は、５０〜１８０ｍｍであることが好ましい。各短インジケータ５ｃの幅（Ｗ３）は、３〜５０ｍｍであることが好ましく、４〜４０ｍｍであることが更に好ましい。
【００７０】
尚、各インジケータ５Ｂは、中央非積繊部４３及び側方非積繊部４４の縦方向Ｘの端部４３ａ，４３ｂ，４４ａ，４４ｂを越えて該縦方向Ｘの外方に延在していてもよい。特に、図１０（ａ）に示すように、各インジケータ５Ｂの縦方向Ｘにおける腹側領域Ａ側の一端部（最も腹側領域Ａ側の最外方短インジケータ５ｃａの位置）は、中央非積繊部４３の縦方向Ｘにおける腹側領域Ａ側の一端部４３ａ及び各側方非積繊部４４の縦方向Ｘにおける腹側領域Ａ側の一端部４４ａを越えて縦方向Ｘにおける腹側領域Ａ側の外方に延在していることが好ましい。言い換えると、各インジケータ５Ｂの一端部（最も腹側領域Ａ側の最外方短インジケータ５ｃａの位置）は、中央非積繊部４３の一端部４３ａ及び各側方非積繊部４４の一端部４４ａを越えて、高坪量部４１の縦方向Ｘにおける腹側領域Ａ側の外方に位置する低坪量部４２まで延在していることが好ましい。例えば、おむつの着用時に着用者の両脚で吸収性コア４０の中央領域が所謂Ｗ字状に変形した場合においても、各インジケータ５Ｂの一端部が中央非積繊部４３の一端部４３ａ及び側方非積繊部４４の一端部４４ａを越えて縦方向Ｘにおける腹側領域Ａ側の外方に延在しているので、吸収性コア４０の中央領域の変形により各インジケータ５Ｂが見え難くなることが抑制される。特に腹側領域Ａ側に延在させることで、着用者の排尿を検出し易くなる。また低坪量部４２では液が広がり易いため、各インジケータ５Ｂの一端部を低坪量部４２に配することで、各インジケータ５Ｂの色の変化を確認し易い。
【００７１】
また図１０（ｂ）に示すように、各インジケータ５Ｂの縦方向Ｘにおける背側領域Ｂ側の他端部（最も背側領域Ｂ側の最外方短インジケータ５ｃｂの位置）を、中央非積繊部４３の縦方向Ｘにおける背側領域Ｂ側の他端部４３ｂ及び各側方非積繊部４４の縦方向Ｘにおける背側領域Ｂ側の他端部４４ｂを越えて縦方向Ｘにおける背側領域Ｂ側の外方に延在していてもよい。各インジケータ５Ｂの他端部（最も背側領域Ｂ側の最外方短インジケータ５ｃｂの位置）を中央非積繊部４３の他端部４３ｂ及び側方非積繊部４４の他端部４４ｂを越えて背側領域Ｂ側に延在させることで、背側部からの漏れをいち早く検知することができる。
【００７２】
また、図１０（ｃ）に示すように、一対のインジケータ５Ｂ，５Ｂに加えて、高坪量部４１の中心線ＣＬから離れる横方向Ｙの外方に位置する低坪量部４２に、中央非積繊部４３を対称の軸として別の一対のインジケータ５２，５２を配してもよい。この場合においても、低坪量部４２に配される別の各インジケータ５２は各側方非積繊部４４と重ならない位置に配されることが好ましい。例えば、別の各インジケータ５２を吸収性コア４０の縦方向Ｘに沿う側縁と各側方非積繊部４４との間に対応するコアラップシート４５の非肌対向面側に配することが好ましい。中央非積繊部４３を対称の軸として配される一対のインジケータ５Ｂ，５Ｂ及び別の一対のインジケータ５２，５２を配することで、中心線ＣＬから離れた位置にある二対のインジケータ５Ｂ，５Ｂ，５２，５２により視認性が向上すると共に、横漏れを抑制することができる。
【００７３】
また、おむつ１Ｂでは、間隔を空けて配される複数の短インジケータ５ｃを等間隔に配したが、縦方向Ｘの外方である腹側領域Ａ側及び背側領域Ｂ側に向かうに連れて互いの間隔が大きくなるように配してもよく、縦方向Ｘの外方である腹側領域Ａ側及び背側領域Ｂ側に向かうに連れて互いの間隔が小さくなるように配してもよい。更にまた、背側領域Ｂに配される短インジケータ５ｃ又は腹側領域Ａに配される短インジケータ５ｃの互いの間隔を非等間隔にしてもよい。
【００７４】
以上、本発明をその好ましい第１〜第２実施形態に基づき説明したが、本発明は第１〜第２実施形態に限定されない。例えば、パンツ型の使い捨ておむつ以外でも展開型の使い捨ておむつにも好適に用いることができる。
【００７５】
また使い捨ておむつは、幼児又は成人用の使い捨ておむつであってもよい。
【００７６】
また、前記の各実施形態は、本発明の趣旨を逸脱しない範囲で適宜に組み合わせることが可能である。
【００７７】
上述した実施形態に関し、本発明は更に以下の付記（使い捨ておむつ）を開示する。
＜１＞
表面シート、裏面シート、及びこれらシート間に配された縦長の吸収体を備え、着用者の腹側に配される腹側領域及び背側に配される背側領域とそれらの間に位置する股下領域とを有すると共に、該腹側領域から該股下領域を介して該背側領域に延びる縦方向とこれに直交する横方向とを有する使い捨ておむつであって、前記裏面シートと前記吸収体との間に、色の変化により排尿を知らせるインジケータが配されており、前記吸収体は、吸水性ポリマーを含む吸収性コアを有し、前記吸収性コアは、該吸収性コアの中央領域に配され坪量の高い高坪量部と、該高坪量部の周縁領域に配され該高坪量部よりも坪量の低い低坪量部と、該高坪量部の横方向の中央部に位置して縦方向に延びる中央非積繊部と、該低坪量部における該高坪量部との境界に位置して縦方向に延びる一対の側方非積繊部とを有しており、前記インジケータは、前記中央非積繊部を対称の軸として一対配され、各該インジケータは縦方向に延在している、使い捨ておむつ。
＜２＞
各前記インジケータは、各前記股下領域の前記高坪量部から前記腹側領域の前記低坪量部又は前記背側領域の前記低坪量部に亘って配されている、前記＜１＞に記載の使い捨ておむつ。
＜３＞
前記インジケータは、前記側方非積繊部と重ならない位置に配されている、前記＜１＞又は＜２＞に記載の使い捨ておむつ。
＜４＞
前記インジケータは、前記中央非積繊部及び各前記側方非積繊部の縦方向の端部を越えて該縦方向外方に延在している、前記＜１＞〜＜３＞の何れか１に記載の使い捨ておむつ。
＜５＞
前記吸収体を固定する第１接着剤を有し、前記第１接着剤は、各前記インジケータの横方向の外方側に配され各該インジケータに沿って縦方向に延在している、前記＜１＞〜＜４＞の何れか１に記載の使い捨ておむつ。
【００７８】
＜６＞
前記吸収体は、前記吸収性コアと、該吸収性コアを包むコアラップシートとを有しており、前記コアラップシートは、前記吸収性コアの前記裏面シート側に該コアラップシートの側縁部同士が重なる重なり部を形成して該吸収性コアを包んでおり、前記インジケータは、前記コアラップシートの前記重なり部と前記裏面シートとの間に配されている、前記＜１＞〜＜５＞の何れか１に記載の使い捨ておむつ。
＜７＞
前記コアラップシートの前記重なり部では、重なっている前記コアラップシートの側縁部同士が第２接着剤により固定されている、前記＜６＞に記載の使い捨ておむつ。
＜８＞
各前記インジケータは、前記中央非積繊部と各前記側方非積繊部との間に配されている、前記＜１＞〜＜７＞の何れか１に記載の使い捨ておむつ。
＜９＞
各前記インジケータは、前記腹側領域の前記低坪量部から前記股下領域の前記高坪量部を縦断して前記背側領域の前記低坪量部に亘って縦方向に延在している、前記＜１＞〜＜８＞の何れか１に記載の使い捨ておむつ。
＜１０＞
前記吸収体の縦方向に沿った両側縁部と略平行に前記吸収性コアの側部部分を立ち上げるための弾性部材が配されている、前記＜１＞〜＜９＞の何れか１に記載の使い捨ておむつ。
【００７９】
＜１１＞
前記吸収性コアの縦方向の長さに対する各前記インジケータの縦方向の長さの割合は、０．３〜０．８であることが好ましく、０．４〜０．６であることが更に好ましい、前記＜１＞〜＜１０＞の何れか１に記載の使い捨ておむつ。
＜１２＞
前記吸収性コアの縦方向の長さは、３００〜４５０ｍｍであることが好ましい、前記＜１＞〜＜１１＞の何れか１に記載の使い捨ておむつ。
＜１３＞
各前記インジケータの縦方向の長さは、１００〜３５０ｍｍであることが好ましく、１５０〜３００ｍｍであることが更に好ましい、前記＜１＞〜＜１２＞の何れか１に記載の使い捨ておむつ。
＜１４＞
前記中央非積繊部の縦方向の前記腹側領域側の一端部から前記腹側領域側の外方に延出する各前記インジケータの縦方向の延出長さは、１〜７０ｍｍであることが好ましく、５〜５０ｍｍであることが更に好ましい、前記＜１＞〜＜１３＞の何れか１に記載の使い捨ておむつ。
＜１５＞
前記吸収性コアの横方向の長さに対する各前記インジケータの横方向の長さの割合は、０．００５〜０．４であることが好ましく、０．０１〜０．２であることが更に好ましい、前記＜１＞〜＜１４＞の何れか１に記載の使い捨ておむつ。
【００８０】
＜１６＞
前記中央非積繊部の横方向の長さに対する前記インジケータの横方向の長さの割合は、０．０５〜２であることが好ましく、０．１〜１であることが更に好ましい、前記＜１＞〜＜１５＞の何れか１に記載の使い捨ておむつ。
＜１７＞
前記吸収性コアの横方向の長さは、５０〜１８０ｍｍであることが好ましい、前記＜１＞〜＜１６＞の何れか１に記載の使い捨ておむつ。
＜１８＞
各前記インジケータの横方向の長さは、０．５〜１０ｍｍであることが好ましく、１〜５ｍｍであることが更に好ましい、前記＜１＞〜＜１７＞の何れか１に記載の使い捨ておむつ。
＜１９＞
各前記インジケータの縦方向における前記腹側領域側の一端部は、前記中央非積繊部の縦方向における前記腹側領域側の一端部及び各前記側方非積繊部の縦方向における前記腹側領域側の一端部を越えて縦方向における前記腹側領域側の外方に延在している、前記＜１＞〜＜１８＞の何れか１に記載の使い捨ておむつ。
＜２０＞
各前記インジケータの縦方向における前記背側領域側の他端部を、前記中央非積繊部の縦方向における前記背側領域側の他端部及び各前記側方非積繊部の縦方向における前記背側領域側の他端部を越えて縦方向における前記背側領域側の外方に延在していてもよい、前記＜１＞〜＜１９＞の何れか１に記載の使い捨ておむつ。
【００８１】
＜２１＞
一対の前記インジケータに加えて、前記高坪量部の前記中心線から離れる横方向の外方に位置する前記低坪量部に、前記中央非積繊部を対称の軸として別の一対のインジケータを配してもよい、前記＜１＞〜＜２０＞の何れか１に記載の使い捨ておむつ。
＜２２＞
前記別の各インジケータを前記吸収性コアの縦方向に沿う側縁と各側方非積繊部４４との間に対応するコアラップシートの非肌対向面側に配する、前記＜２１＞に記載の使い捨ておむつ。
＜２３＞
一対のインジケータは、横方向に延びる複数の短インジケータが縦方向に間隔を空けて配されるインジケータ列の形状で一対形成されている、前記＜１＞〜＜２２＞の何れか１に記載の使い捨ておむつ
＜２４＞
横方向に延びる複数の短インジケータは、前記腹側領域又は前記背側領域から前記股下領域に向かうに連れて横方向Ｙの長さが長くなるように形成されている、前記＜２３＞に記載の使い捨ておむつ。
＜２５＞
前記吸収体を固定する吸収体固定用ホットメルトを有し、各吸収体固定用ホットメルトは、各前記インジケータと略平行に、各前記インジケータと隣接するように吸収体の縦方向Ｘに沿って延在している、前記＜２３＞〜＜２４＞の何れか１に記載の使い捨ておむつ。
【００８２】
＜２６＞
前記吸収性コアの縦方向Ｘの長さに対する各前記インジケータの縦方向の長さの割合は、２０％〜９０％であることが好ましく、３０％〜８０％であることが更に好ましい、前記＜２３＞〜＜２５＞に記載の使い捨ておむつ。
＜２７＞
各前記インジケータの縦方向の長さは、１００〜４００ｍｍであることが好ましく、１２０〜３６０ｍｍであることが更に好ましい、前記＜２３＞〜＜２６＞の何れか１に記載の使い捨ておむつ。
＜２８＞
前記吸収性コアの横方向の長さに対する各短インジケータ５ｃの横方向の長さの割合は、３％〜４０％であることが好ましく、５％〜３０％であることが更に好ましい、前記＜２３＞〜＜２６＞に記載の使い捨ておむつ。
＜２９＞
各前記短インジケータの横方向の長さは、３〜５０ｍｍであることが好ましく、４〜４０ｍｍであることが更に好ましい、前記＜２３＞〜＜２８＞の何れか１に記載の使い捨ておむつ。
＜３０＞
各前記インジケータは、前記中央非積繊部及び前記側方非積繊部の縦方向の端部を越えて該縦方向の外方に延在している、前記＜２３＞〜＜２９＞の何れか１に記載の使い捨ておむつ。
【００８３】
＜３１＞
前記インジケータの一端部は、前記中央非積繊部の一端部及び各前記側方非積繊部の一端部を越えて、前記高坪量部の縦方向における前記腹側領域側の外方に位置する前記低坪量部まで延在している、前記＜２３＞〜＜３０＞の何れか１に記載の使い捨ておむつ。
＜３２＞
各前記インジケータの縦方向における前記背側領域側の他端部（最も背側領域Ｂ側の最外方短インジケータ５ｃｂの位置）を、前記中央非積繊部の縦方向における前記背側領域側の他端部及び各前記側方非積繊部の縦方向における前記背側領域側の他端部を越えて縦方向における前記背側領域側の外方に延在している、前記＜２３＞〜＜３１＞の何れか１に記載の使い捨ておむつ。
＜３３＞
前記吸収性コアは、縦方向に長い略矩形状に形成されており、前記腹側領域から前記股下領域を縦断して前記背側領域に亘って配され、前記吸収性コアには、前記股下領域の中央部にて縦方向に延びる略矩形状の前記高坪量部が配されている、前記＜１＞〜＜３２＞の何れか１に記載の使い捨ておむつ。
＜３４＞
前記高坪量部は、縦方向及び横方向と直交する方向が前記低坪量部の厚みよりも厚くなっており、前記低坪量部よりも肌対向面側に突出して形成されている、前記＜１＞〜＜３３＞の何れか１に記載の使い捨ておむつ。
＜３５＞
前記中央非積繊部は、前記低坪量部よりも低坪量に形成されており、高坪量部及び前記低坪量部を貫通する貫通口となっている、前記＜１＞〜＜３４＞の何れか１に記載の使い捨ておむつ。
【００８４】
＜３６＞
各前記側方非積繊部は、前記中央非積繊部と略平行に縦方向に延びて形成されており、前記高坪量部の縦方向の長さよりも縦方向の長さが長く、前記中央非積繊部の縦方向Ｘの長さよりも縦方向の長さが短く形成されている、前記＜１＞〜＜３５＞の何れか１に記載の使い捨ておむつ。
＜３７＞
各前記側方非積繊部は、縦方向における前記腹側領域側の一端部が前記中央非積繊部の縦方向における前記腹側領域側の一端部よりも縦方向の内方側に位置し、縦方向における前記背側領域側の他端部が前記中央非積繊部の縦方向における前記背側領域側の他端部よりも縦方向の内方側に位置している、前記＜１＞〜＜３６＞の何れか１に記載の使い捨ておむつ。
＜３８＞
各前記側方非積繊部は、前記低坪量部よりも低坪量に形成されており、前記低坪量部を貫通する貫通口となっている、前記＜１＞
〜＜３７＞の何れか１に記載の使い捨ておむつ。
【符号の説明】
【００８５】
１Ａ、１Ｂ  使い捨ておむつ
２  表面シート
３  裏面シート
４  吸収体
４０吸収性コア
４１  高坪量部
４２  低坪量部
４３  中央非積繊部
４４  側方非積繊部
４５  コアラップシート
４５ａ、４５ｂ  コアラップシートの側縁部
４５ｃ  重なり部
４６  重なり部固定用ホットメルト
４７  吸収体固定用ホットメルト
５  インジケータ
Ａ  腹側領域
Ｂ  背側領域
Ｃ  股下領域
Ｘ  縦方向
Ｙ  横方向
【図１】
2018102419.tif 000003
【図２】
2018102419.tif 000004
【図３】
2018102419.tif 000005
【図４】
2018102419.tif 000006
【図５】
2018102419.tif 000007
【図６】
2018102419.tif 000008
【図７】
2018102419.tif 000009
【図８】
2018102419.tif 000010
【図９】
2018102419.tif 000011
【図１０】
2018102419.tif 000012